(57)【特許請求の範囲】
【請求項１】
窓空間を規定する窓枠本体と、窓空間を開閉するように窓枠本体に当該窓枠本体に沿って直動自在に設けられた一方の窓障子と、この一方の窓障子と協働して窓空間を開閉するように一方の窓障子に対して平行に直動自在に窓枠本体に設けられた他方の窓障子と、全体が他方の窓障子における一方の縦障子枠の中空部に収容される一方の回転位置と鉛直方向に並置されていると共に互いに回転自在に連結された夫々の一端が一方の縦障子枠の中空部外に配されて夫々が水平方向に伸びる他方の回転位置との間で回転できるように鉛直方向に並置された夫々の他端で一方の縦障子枠に回転自在に連結されている複数の格子を有した格子手段と、複数の格子を一方の回転位置に解除自在に保持する保持手段と、他方の窓障子の一方の縦障子枠に対面する窓枠本体の一方の縦枠への直動で、他方の回転位置に配された各格子の一端が当該一方の縦枠の中空部に収容された場合に、各格子の一方の回転位置への回転を禁止する回転禁止手段と、他方の回転位置に配された各格子の一端が一方の縦枠の中空部に収容されていると共に一方の窓障子が窓閉鎖位置に配されている場合に、一方の窓障子に対する他方の窓障子の窓開放方向への平行な直動を禁止できるように一方及び他方の窓障子のうちの少なくとも一方に操作可能に配された直動禁止手段とを具備している格子付き引き違い窓。
【請求項２】
格子手段は、各格子の一端を相互に連結するように、当該格子の一端が回転自在に取り付けられている連結部材を具備しており、各格子の他端は、一方の縦障子枠に回転自在に取り付けられている請求項１に記載の格子付き引き違い窓。
【請求項３】
保持手段は、他方の窓障子における一方の縦障子枠側及び格子側のうちの一方に設けられた永久磁石と、他方の窓障子における一方の縦障子枠側及び格子側のうちの他方に設けられていると共に永久磁石によって吸着される金属板とを具備している請求項１又は２に記載の格子付き引き違い窓。
【請求項４】
回転禁止手段は、窓枠本体の一方の縦枠側に固着された禁止部材と、各格子の一端が窓枠本体の一方の縦枠の中空部に収容されている場合に、各格子の一方の回転位置への回転において禁止部材に接触するように格子側に固着された接触部材とを具備している請求項１から３のいずれか一項に記載の格子付き引き違い窓。
【請求項５】
直動禁止手段は、一方の窓障子に対する他方の窓障子の窓開放方向への平行な直動を、一方の窓障子と他方の窓障子との間に介在される係止ピンにより禁止する係止ピン手段と、一方の窓障子に対する他方の窓障子の窓開放方向への平行な直動を、一方の窓障子と他方の窓障子との間に介在される突っ張り部材により禁止する突っ張り手段とのうちの少なくとも一方を具備している請求項１から４のいずれか一項に記載の格子付き引き違い窓。
【請求項６】
係止ピン手段は、係止ピンに加えて、他方の窓障子の他方の縦障子枠に回転自在に設けられた操作レバーと、この操作レバーの回転を水平方向の直動に変換する回転−水平変換手段と、一方の窓障子の横障子枠に設けられた凹所とを具備しており、係止ピンは、回転−水平変換手段において変換された水平方向の直動により水平方向に直動するように他方の窓障子に直動自在に設けられており、凹所は、水平方向の一方の方向に直動した係止ピンを受容するように一方の窓障子の横障子枠に設けられている請求項５に記載の格子付き引き違い窓。
【請求項７】
突っ張り手段は、突っ張り部材に加えて、突っ張り部材を回転させる回転操作摘みを具備しており、突っ張り部材は、一方の窓障子の横障子枠に回転自在に設けられている請求項５又は６に記載の格子付き引き違い窓。
【発明の詳細な説明】
【技術分野】
【０００１】
本発明は、必要なときには通気性を増大させることができる上に、通気性の増大においても外部からの侵入を防ぐことができる格子付き引き違い窓に関する。
【背景技術】
【０００２】
【特許文献１】特許公開２００４−１７６３００公報
【０００３】
一対の障子を具備した引き違い窓は、窓空間の閉鎖における通気性を確保するために、多くの場合には、障子の上方に小窓を具備している。
【発明の開示】
【発明が解決しようとする課題】
【０００４】
ところで、障子の上方に小窓を具備した引き違い窓では、特に夏場の夜においては、斯かる小窓程度では室外の冷気を適量に室内に導入することが困難であって、このために、少なくとも一方の障子を窓空間の開放位置に配して室外冷気の適量の導入を図って自然空冷を図ろうとすると、特に屋外に面した引き違い窓では、屋外からの不審者の侵入の危険が生じ、結局、室内の温度を下げるために省エネに反して冷房機による強制空冷の助けを得なければならないのが実情であり、斯かる問題は、必ずしも室外冷気の導入に限らず、単なる室内の自然換気においても生じ得るのである。
【０００５】
本発明は上記諸点に鑑みなされたものであり、その目的とするところは、適量の窓空間の開放を簡単に行うことができて室内を効果的に換気でき、しかも、夏場の夜の冷気を利用できて省エネを図り得、その上、屋外からの不審者の侵入をも防ぐことができる格子付き引き違い窓提供することにある。
【課題を解決するための手段】
【０００６】
本発明の格子付き引き違い窓は、窓空間を規定する窓枠本体と、窓空間を開閉するように窓枠本体に当該窓枠本体に沿って直動自在に設けられた一方の窓障子と、この一方の窓障子と協働して窓空間を開閉するように一方の窓障子に対して平行に直動自在に窓枠本体に設けられた他方の窓障子と、全体が他方の窓障子における一方の縦障子枠の中空部に収容される一方の回転位置と鉛直方向に並置されていると共に互いに回転自在に連結された夫々の一端が一方の縦障子枠の中空部外に配されて夫々が水平方向に伸びる他方の回転位置との間で回転できるように鉛直方向に並置された夫々の他端で一方の縦障子枠に回転自在に連結されている複数の格子を有した格子手段と、複数の格子を一方の回転位置に解除自在に保持する保持手段と、他方の窓障子の一方の縦障子枠に対面する窓枠本体の一方の縦枠への直動で、他方の回転位置に配された各格子の一端が当該一方の縦枠の中空部に収容された場合に、各格子の一方の回転位置への回転を禁止する回転禁止手段と、他方の回転位置に配された各格子の一端が一方の縦枠の中空部に収容されていると共に一方の窓障子が窓閉鎖位置に配されている場合に、一方の窓障子に対する他方の窓障子の窓開放方向への平行な直動を禁止できるように一方及び他方の窓障子のうちの少なくとも一方に操作可能に配された直動禁止手段とを具備している。
【０００７】
斯かる格子付き引き違い窓によれば、複数の格子を他方の回転位置に回転させ、他方の窓障子を一方の縦枠へ直動させることにより、他方の窓障子の一方の縦障子枠と窓枠本体の一方の縦枠との間に夫々が水平方向に伸びる複数の格子を配置できる結果、適量の窓空間の開放を簡単に行うことができて室内を効果的に換気でき、夏場の夜の冷気を利用できて省エネを図り得、しかも、斯かる複数の格子の各回転位置を保持手段及び回転禁止手段で維持できる上に、適量の窓空間の開放において、窓閉鎖位置に配された一方の窓障子に対する他方の窓障子の窓開放方向への平行な直動を直動禁止手段で禁止させることにより、一方の窓障子を窓閉鎖位置に保持した上で、半開きにされた他方の窓障子の直動を禁止できる結果、適量に窓空間を開放した場合でも、屋外から他方の窓障子の一方の縦障子枠と窓枠本体の一方の縦枠との間を介する不審者の侵入をも防ぐことができる。
【０００８】
好ましい例では、格子手段は、各格子の一端を相互に連結するように、当該格子の一端が回転自在に取り付けられている連結部材を具備しており、各格子の他端は、一方の縦障子枠に回転自在に取り付けられている。各格子の他端は、一方の縦障子枠に直接的に回転自在に取り付けてもよいが、各格子の一端を相互に連結する連結部材と同等の連結部材を介して一方の縦障子枠に間接的に回転自在に取り付けてもよい。
【０００９】
水平方向に伸びた場合の格子手段の各格子は、適度の空気の流通を達成できる上に、屋外からの不審者の侵入を防ぐことができる程度の間隔をもっているとよい。
【００１０】
保持手段は、一つの例では、他方の窓障子における一方の縦障子枠側及び格子側のうちの一方に設けられた永久磁石と、他方の窓障子における一方の縦障子枠側及び格子側のうちの他方に設けられていると共に永久磁石によって吸着される金属板とを具備しているが、斯かる磁気的な例に限定されず、磁気的な機構に代えて又はこれと共に、例えば、フック等を用いた手動解除自在な機械的な機構を具備していてもよい。
【００１１】
回転禁止手段は、一つの例では、窓枠本体の一方の縦枠側に固着された禁止部材と、各格子の一端が窓枠本体の一方の縦枠に収容されている場合に、各格子の一方の回転位置への回転において禁止部材に接触するように格子側に固着された接触部材とを具備している。
【００１２】
直動禁止手段は、一方の窓障子に対する他方の窓障子の窓開放方向への平行な直動を、一方の窓障子と他方の窓障子との間に介在される係止ピンにより禁止する係止ピン手段と、一方の窓障子に対する他方の窓障子の窓開放方向への平行な直動を、一方の窓障子と他方の窓障子との間に介在される突っ張り部材により禁止する突っ張り手段とのうちの少なくとも一方を具備していてもよい。
【００１３】
係止ピン手段は、好ましい例では、係止ピンに加えて、他方の窓障子の他方の縦障子枠に回転自在に設けられた操作レバーと、この操作レバーの回転を水平方向の直動に変換する回転−水平変換手段と、一方の窓障子の横障子枠に設けられた凹所とを具備しており、この場合、係止ピンは、回転−水平変換手段において変換された水平方向の直動により水平方向に直動するように他方の窓障子に直動自在に設けられており、凹所は、水平方向の一方の方向に直動した係止ピンを受容するように一方の窓障子の横障子枠に設けられていてもよい。
【００１４】
突っ張り手段の好ましい例は、突っ張り部材に加えて、突っ張り部材を回転させる回転操作摘みを具備しており、この場合、突っ張り部材は、一方の窓障子の横障子枠に回転自在に設けられているとよい。
【発明を実施するための最良の形態】
【００１５】
次に、本発明及びその実施の形態を、図に示す好ましい実施例に基づいて更に詳細に説明する。なお、本発明はこれらの実施例に何等限定されないのである。
【００１６】
図１から図１０において、本例の格子付き引き違い窓１は、窓空間２を規定する窓枠本体３と、窓空間２を開閉するように窓枠本体３に当該窓枠本体３に沿って水平方向であるＨ方向に直動自在に設けられた一方の窓障子４と、窓障子４と協働して窓空間２を開閉するように窓障子３に対して平行にＨ方向に直動自在に窓枠本体３に設けられた他方の窓障子５と、全体が窓障子５における一方の縦障子枠６の中空部７に収容される一方の回転位置Ｐ１（図１３から図１５に示す位置）と鉛直方向であるＶ方向に並置されていると共に互いにＲ１方向に回転自在に連結された夫々の一端８が縦障子枠６の中空部７外に配されて夫々がＨ方向に伸びる他方の回転位置Ｐ２（図１及び図１１に示す位置）との間でＲ方向に回転できるように、Ｖ方向に並置された夫々の他端９で縦障子枠６にＲ２方向に回転自在に連結されている複数の格子１０を有した格子手段１１と、複数の格子１０を一方の回転位置Ｐ１に解除自在に保持する保持手段１２と、窓障子５の縦障子枠６に対面する窓枠本体３の一方の縦枠１３へのＨ方向のうちの一方の方向であるＨ１方向の直動で、回転位置Ｐ２に配された各格子１０の一端８が縦枠１３の中空部１４に収容された場合に、各格子１０の回転位置Ｐ１へのＲ方向の回転を禁止する回転禁止手段１５と、回転位置Ｐ２に配された各格子１０の一端８が縦枠１３の中空部１４に収容されていると共に窓障子４が窓閉鎖位置（図１に示す位置）に配されている場合に、窓障子４に対する窓障子５の窓開放方向であってＨ方向のうちの他方の方向であるＨ２方向への平行なＨ方向の直動を禁止できるように窓障子４及び５のうちの少なくとも一方、本例では窓障子４及び５に操作可能に配された直動禁止手段１６と、窓障子４及び５が共に窓閉鎖位置（図１４に示す位置）に配されている場合に、窓障子４及び５の相対的なＨ方向の直動を禁止して窓空間２の完全閉鎖を維持する施錠手段１７とを具備している。
【００１７】
窓枠本体３は、縦枠１３に加えて、縦枠１３に平行に配された他方の縦枠２１と、縦枠１３及び２１に直交してＨ方向に互いに平行に伸びる一対の横枠２２及び２３とを互いに連結されて具備しており、窓空間２は、これら縦枠１３及び２１並びに横枠２２及び２３に囲繞されている。
【００１８】
窓障子４は、縦枠１３に平行に配された縦障子枠２５及び係止ピン手段と、一対の縦障子枠２５及び係止ピン手段の夫々に連結されていると共に縦障子枠２５及び係止ピン手段に直交してＨ方向に互いに平行に伸びる一対の横障子枠２７及び２８と、縦障子枠２５及び係止ピン手段並びに横障子枠２７及び２８に外縁部で嵌合部材２９を介して嵌めこまれた複層ガラス３０及び３１とを具備しており、上方の横障子枠２７で上方の横枠２２に案内されると共に下方の横障子枠２８で下方の横枠２３に滑り接触してＨ方向に直動されるようになっている。
【００１９】
窓障子５は、窓障子４と同様に形成されており、縦障子枠６に加えて、縦障子枠６及び縦枠１３に平行に配された縦障子枠３６と、一対の縦障子枠６及び３６の夫々に連結されていると共に縦障子枠６及び３６に直交してＨ方向に互いに平行に伸びる一対の横障子枠３７及び３８と、縦障子枠６及び３６並びに横障子枠３７及び３８に外縁部で嵌合部材３９を介して嵌めこまれた複層ガラス４０及び４１とを具備しており、上方の横障子枠３７で上方の横枠２２に案内されると共に下方の横障子枠３８で下方の横枠２３に滑り接触してＨ方向に直動されるようになっている。
【００２０】
格子手段１１は、特に図１から図４に示すように、夫々が１００ｍｍから１５０ｍｍ程度の長尺の円筒棒又は円柱棒からなる複数の格子１０に加えて、各格子１０の扁平にプレス成形された一端８を相互に連結するように、格子１０の一端８がピン軸を介してＲ１方向に回転自在に取り付けられていると共にＶ方向に伸びた長尺の連結部材４５と、各格子１０の扁平にプレス成形された他端９を相互に連結するように、格子１０の他端９がピン軸を介してＲ２方向に回転自在に取り付けられている連結部材４６とを具備しており、連結部材４６は、中空部７において縦障子枠６に固着されており、而して、各格子１０の他端９は、連結部材４６を介して縦障子枠６に回転自在に取り付けられている。
【００２１】
格子手段１１は、窓障子５の窓空間２に対する半開き状態（図１１に示す状態）の場合に、図１２に示すように手動操作により格子１０の全体をＲ方向の一方の方向に回転させることにより、図１３から図１５に示すように、格子１０の全体を縦障子枠６の中空部７に収容できて、窓障子５の窓空間２に対する全閉位置へのＨ１方向の直動を許容する一方、窓障子５の窓空間２に対する半開き状態であって格子１０の全体を縦障子枠６の中空部７に収容した状態（図１３に示す状態）の場合に、図１２に示すように手動操作により格子１０の全体をＲ方向の他方の方向に回転させることにより連結部材４５の下端４７の横枠２３へのＨ方向への滑り移動自在な接触で、図１１に示すように、格子１０の夫々を窓空間２の半開き空間４８においてＨ方向に伸びた状態で互いに平行に配置でき、更に、図１１に示す状態で窓障子５がＨ１方向に手動操作により直動されることにより、図１から図４に示すように、一端８を縦枠１３の中空部１４に収容できるようになっている。
【００２２】
保持手段１２は、特に図２に示すように、窓障子５における縦障子枠６側及び格子１０側のうちの一方、本例では縦障子枠６側に設けられた永久磁石５１と、窓障子５における縦障子枠６側及び格子１０側のうちの他方、本例では格子１０側に設けられていると共に永久磁石５１によって吸着される金属板５２とを具備している。
【００２３】
永久磁石５１は、縦障子枠６の取り付け枠部５３に固着されており、金属板５２は、連結部材４５の取り付け片部５４に固着されている。
【００２４】
保持手段１２は、格子１０の全体が回転位置Ｐ１に回転される場合に、図１５に示すように、金属板５２を永久磁石５１で吸着することにより格子１０の全体を回転位置Ｐ１に保持できる一方、手動操作力により金属板５２を永久磁石５１から引き離すことにより斯かる保持を解除できて格子１０の全体を回転位置Ｐ２に回転できるようになっている。
【００２５】
保持手段は、上記に代えて、格子１０側に設けられた永久磁石と、窓枠本体３の一方の縦枠１３側に設けられていると共に永久磁石によって吸着される金属板とを具備していてもよい。
【００２６】
回転禁止手段１５は、特に図２及び図４に示すように、窓枠本体３の縦枠１３側に固着された禁止部材６１と、各格子１０の一端８が窓枠本体３の縦枠１３の中空部１４に収容されている場合に、各格子１１の回転位置Ｐ１への回転において禁止部材６１に接触するように格子１０側に固着された接触部材６２とを具備している。
【００２７】
直方体状の禁止部材６１は、縦枠１３の一対の取り付け枠部６３にねじ等により固着されており、接触部材６２は、連結部材４５の取り付け片部５４に一体的に形成された突起からなり、各格子１０の一端８が縦枠１３の中空部１４に収容された場合に、接触部材６２の禁止部材６１への接触で各格子１０の回転位置Ｐ１へのＲ方向の回転を禁止するようになっている。
【００２８】
直動禁止手段１６は、窓障子４に対する窓障子５の窓開放方向であるＨ２方向への平行なＨ方向の直動を、窓障子４と窓障子５との間に介在される係止ピン６５により禁止する係止ピン手段６６と、窓障子４に対する窓障子５のＨ２方向への平行なＨ方向の直動を、窓障子４と窓障子５との間に介在される突っ張り部材６７により禁止する突っ張り手段６８とのうちの少なくとも一方、本例では係止ピン手段６６と突っ張り手段６８との両方を具備している。
【００２９】
係止ピン手段６６は、係止ピン６５に加えて、窓障子５の他方の縦障子枠３６にＲ３方向に回転自在に設けられた操作レバー７１と、操作レバー７１のＲ３方向の回転をＨ方向の直動に変換する回転−水平変換手段７２と、窓障子４の横障子枠２７に設けられた凹所７３と、縦障子枠３６に取り付けられたブラケット７４と、ブラケット７４にＲ３方向に回転自在に支持されていると共に操作レバー７１が固着された軸部材７５と、縦障子枠３６の上端に取り付けられていると共に係止ピン６５を内部でＨ方向及びＶ方向に直交するＡ方向に直動自在に支持する支持部材７６とを具備している。
【００３０】
回転−水平変換手段７２は、軸部材７５に固着されたピニオン歯車８１と、縦障子枠３６にＶ方向に直動自在に案内支持されると共に下端部にピニオン歯車８１に噛み合うラック歯８２を有する一方、上端部にＡ方向に対して傾斜したカム孔８７を有した長尺のカム板８３と、カム孔８７に挿通されていると共に係止ピン６５に固着されたカム突起８４とを有している。
【００３１】
係止ピン６５を内部でＡ方向に直動自在に支持する支持部材７６は、係止ピン６５に固着されたカム突起８４を挿通させると共にＡ方向に伸びて係止ピン６５のＡ方向の直動を許容する長孔８５を有している。
【００３２】
回転−水平変換手段７２は、操作レバー７１のＲ３方向の回転による軸部材７５を介するピニオン歯車８１の同方向の回転で、ピニオン歯車８１に噛み合うラック歯８２を介してカム板８３をＶ方向に直動させ、カム板８３のＶ方向の直動によるカム孔８７におけるカム突起８４とカム板８３との係合で係止ピン６５を支持部材７６に対してＡ方向に直動させるようになっている。
【００３３】
係止ピン手段６６は、図１に示すような操作レバー７１のＲ３方向の回転によるカム板８３の横枠２２に向かうＶ方向の直動に起因する係止ピン６５のＡ方向の直動で、係止ピン６５の先端が凹所７３に挿入されて凹所７３に位置する場合（図５参照）には、窓障子４に対する窓障子５のＨ方向の直動において凹所７３での係止ピン６５の先端の横障子枠２７への接触で窓障子４に対する窓障子５のＨ方向の直動を禁止する一方、図１１から図１３及び図１６に示すような操作レバー７１のＲ３方向の回転による図１７に示すようなカム板８３の横枠２３に向かうＶ方向の直動に起因する係止ピン６５のＡ方向の直動で、図１６に示すように、係止ピン６５の先端が凹所７３から抜け出て凹所７３外に位置する場合には、窓障子４に対する窓障子５のＨ方向の直動において凹所７３での係止ピン６５の先端の横障子枠２７への接触が生じなくなり窓障子４に対する窓障子５のＨ方向の直動の禁止を解除して窓障子４に対する窓障子５のＨ方向の直動を許容するようになっている。
【００３４】
図１４に示すように窓障子４及び５により窓空間２が全閉されている状態で、当該図１４に示すように操作レバー７１が回転されて係止ピン６５が横障子枠２７に向かって直動される場合に、係止ピン６５の先端を受容する凹所７３と同様の凹所８６が横障子枠２７にも設けられており、係止ピン手段６６は、施錠手段１７と協働して、窓障子４及び５により窓空間２が全閉されている状態でも、窓障子４のＨ１方向及び窓障子５のＨ２方向の直動を禁止できるようになっている。
【００３５】
突っ張り手段６８は、特に図１及び図７から図１０に示すように、突っ張り部材６７に加えて、突っ張り部材６７を回転させる回転操作摘み９１と、縦障子枠２６に固着されたブラケット９２と、窓障子４の横障子枠２８にＨ方向に平行に伸びて一体的に形成された軸受部９３とを具備している。
【００３６】
突っ張り部材６７は、軸受部９３にＲ４方向に回転自在に支持されていると共にＨ方向の一端ではブラケット９２に接触した長尺の軸部９５と、軸部９５に一体的に形成されていると共に一対のねじ孔９６を有した長尺の板状部材９７と、ねじ孔９６に螺合したねじ９８により板状部材９７のＨ２方向の一端に固着された端部材９９とを有しており、而して、突っ張り部材６７は、軸部９５で軸受部９３にＲ４方向に回転自在に支持されて窓障子４の横障子枠２８に回転自在に設けられている。
【００３７】
回転操作摘み９１は、特に図１０に示すように、中空の摘み本体１１０と、摘み本体１１０外に位置した一端に端部材９９に螺合したねじ部１１１を有している一方、摘み本体１１０内に位置した他端に径方向外方に突出した鍔部１１２を有している回転伝達部材１１３と、摘み本体１１０及び回転伝達部材１１３間に配されたコイルばね１１４とを具備している。
【００３８】
回転伝達部材１１３に対してＨ方向に直動自在な摘み本体１１０は、大径の円筒部１２１と、円筒部１２１に一体的に形成されていると共に円筒部１２１よりも小径の円筒部１２２と、円筒部１２１に一体的に形成されていると共に円筒部１２１から径方向内方に突出した円環状部１２３とを具備している。
【００３９】
コイルばね１１４は、一端では鍔部１１２に接触する一方、他端では円環状部１１３に接触して回転伝達部材１１３を囲繞しており、斯かる一端及び他端を介して摘み本体１１０と回転伝達部材１１３との間に弾性的なＨ方向の伸張力を与えている。
【００４０】
ブラケット９２は、縦障子枠２６に固着された基部１３１と、基部１３１からＡ方向に伸びて基部１３１に一体的に形成されている板部１３２と、板部１３２に形成されていると共に互いに離間された半円形の一対の溝部１３３及び１３４（図１０及び図１８参照）と、一対の溝部１３３及び１３４間において軸部９５を中心とした円弧を形成するようにＲ方向に伸びて板部１３２に形成された貫通孔１３５とを具備している。
【００４１】
溝部１３３及び１３４の夫々は、円筒部１２２をぴったりと収容できる径を有しており、貫通孔１３５は、円筒部１２２をＲ方向に移動させない一方、貫通孔１３５を貫通する回転伝達部材１１３の円柱状の本体１３６をＲ方向に移動させることができるＲ方向に直交する方向の幅を有している。
【００４２】
突っ張り手段６８は、円筒部１２２及び円環状部１２３が溝部１３３又は１３４に配されている場合（図９及び図１０又は図２０に示す場合）には、貫通孔１３５を規定する板部１３２の部位への円筒部１２２の接触で手動操作による円筒部１２１のＲ方向の移動を禁止し、手動操作によりコイルばね１１４の弾性力に抗して円筒部１２１を介して円筒部１２２及び円環状部１２３が溝部１３３又は１３４から抜き出されている場合（図１９に示す場合）には、手動操作による円筒部１２１のＲ方向の移動を許容するようになっており、而して、円筒部１２２及び円環状部１２３が溝部１３３に配されている場合（図９及び図１０に示す場合）には、図７及び図８に示すように、板状部材９７を窓障子５のＨ２方向の直動路に位置させて、板状部材９７の縦障子枠３６側の一端への窓障子５の縦障子枠３６の接触で窓障子５のそれ以上のＨ２方向の直動を禁止する一方、円筒部１２２及び円環状部１２３が溝部１３３に配されている状態で、手動操作によりコイルばね１１４の弾性力に抗して円筒部１２１を介して円筒部１２２及び円環状部１２３が溝部１３３から抜き出された後に、同じく手動操作により円筒部１２１が図１８及び図１９に示すように溝部１３４に向かってＲ方向に移動されて、当該円筒部１２１が図２０に示す位置に配され、円筒部１２２及び円環状部１２３が溝部１３４に収容された場合には、図２１及び図２２に示すように、板状部材９７を窓障子５のＨ２方向の直動路から退避させて横障子枠２８にぴったりと寄り添わせ、窓障子５の窓全開位置へのＨ２方向の直動を許容するようになっている。
【００４３】
施錠手段１７は、操作レバー７１に一体的に設けられたクレセント１４１と、窓障子４及び５が共に窓閉鎖位置に配されている場合にクレセント１４１に係合するように、縦障子枠２５に設けられた係合部材１４２とを具備しており、斯かる施錠手段１７は、よく知られているので詳細な説明を省く。
【００４４】
以上の格子付き引き違い窓１によれば、図１３に示すように、窓障子４を窓閉鎖位置に配すると共に窓障子４を半開きの状態にした状態で、複数の格子１０を回転位置Ｐ２に回転させ、窓障子５を縦枠１３へＨ１方向に直動させることにより、窓障子５の縦障子枠６と縦枠１３との間に夫々が水平方向に伸びる複数の格子１０を配置できる結果、適量の窓空間２の開放を簡単に行うことできて室内を効果的に換気でき、夏場の夜の冷気を利用できて省エネを図り得、しかも、斯かる複数の格子１０の各回転位置を保持手段１２及び回転禁止手段１５で維持できる上に、適量の窓空間２の開放において、窓閉鎖位置に配された窓障子４に対する窓障子５の窓開放方向へのＨ２方向の平行な直動を直動禁止手段１５で禁止させることにより、窓障子４を窓閉鎖位置に保持した上で、半開きにされた窓障子５のＨ２方向の直動を禁止できる結果、適量に窓空間２を開放した場合でも、屋外から窓障子５の縦障子枠６と窓枠本体３の縦枠１３との間を介する不審者の侵入をも防ぐことができる。
【００４５】
上記の例では、端部材９９と板部１３２との間に隙間１４５を設けたが、これに代えて、端部材９９と板部１３２とをＲ４方向に滑り移動自在に接触させ、突っ張り手段６８の動作時に板状部材９７を介する窓障子５のＨ２方向の直動をブラケット９２で受けて窓障子５をＨ２方向に直動させないようにしてもよい。
【図面の簡単な説明】
【００４６】
【図１】本発明による実施の形態の好ましい例の正面説明図である。
【図２】図１に示すＩＩ−ＩＩ線矢視断面説明図である。
【図３】図１に示す例の一部の正面部分断面説明図である。
【図４】図１に示す例の一部の正面部分断面説明図である。
【図５】図１に示す例の一部の側面断面説明図である。
【図６】図１に示す例の一部の側面断面説明図である。
【図７】図１に示すＶＩＩ−ＶＩＩ線矢視断面説明図である。
【図８】図１に示す例の一部の側面断面説明図である。
【図９】図１に示す例の一部の側面断面説明図である。
【図１０】図９に示すＸ−Ｘ線矢視断面説明図である。
【図１１】図１に示す例の動作説明図である。
【図１２】図１に示す例の動作説明図である。
【図１３】図１に示す例の動作説明図である。
【図１４】図１に示す例の動作説明図である。
【図１５】図１に示す例の動作説明図である。
【図１６】図１に示す例の動作説明図である。
【図１７】図１に示す例の動作説明図である。
【図１８】図１に示す例の動作説明図である。
【図１９】図１に示す例の動作説明図である。
【図２０】図１に示す例の動作説明図である。
【図２１】図１に示す例を動作説明図である。
【図２２】図１に示す例の動作説明図である。
【符号の説明】
【００４７】
１  格子付き引き違い窓
２  窓空間
３  窓枠本体
４、５  窓障子
６  縦障子枠
７  中空部
８  一端
９  他端
１０  格子
１１  格子手段
１２  保持手段
１３  縦枠
１４  中空部
１５  回転禁止手段
１６  直動禁止手段
【図１】
0005029497.tif 000002
【図２】
0005029497.tif 000003
【図３】
0005029497.tif 000004
【図４】
0005029497.tif 000005
【図５】
0005029497.tif 000006
【図６】
0005029497.tif 000007
【図７】
0005029497.tif 000008
【図８】
0005029497.tif 000009
【図９】
0005029497.tif 000010
【図１０】
0005029497.tif 000011
【図１１】
0005029497.tif 000012
【図１２】
0005029497.tif 000013
【図１３】
0005029497.tif 000014
【図１４】
0005029497.tif 000015
【図１５】
0005029497.tif 000016
【図１６】
0005029497.tif 000017
【図１７】
0005029497.tif 000018
【図１８】
0005029497.tif 000019
【図１９】
0005029497.tif 000020
【図２０】
0005029497.tif 000021
【図２１】
0005029497.tif 000022
【図２２】
0005029497.tif 000023